(57)【要約】  第一端部パネル、第二端部パネル、及び第一端部パネル及び第二端部パネルから間隔を持って形成された１対の側部パネルを備えた内側層を有する使い棄て吸収性衣類である。第一及び第二端部パネルは、少なくとも衣類の横方向に伸張可能である。側部パネルは、互いが横方向に間隔を持つ関係で、第一及び第二端部パネルの間に長手方向に延び、端部パネル及び側部パネルは互いに合わさって内側層の中央開口を構成する。側部パネルは、各々が第一及び第二端部パネルに固定され、衣類の少なくとも横方向に伸長可能である。衣類は、内側層と対向する関係の外側層、及び内側層と外側層との間に配置される吸収性組立体を含む。【選択図】図１
2009505777.tif 000002
【特許請求の範囲】
【請求項１】
長手方向と、横方向と、前腰部領域と、後腰部領域と、前記前腰部領域と前記後腰部領域との間に長手方向に延びて、これら両領域を相互結合している股部領域と、長手方向端部と、横方向側部縁とを有する使い棄て吸収性衣類であって、前記使い棄て吸収性衣類は、
前記衣類の着用者に向く内面と、外面とを有し、前記衣類の前記前腰部領域を少なくとも部分的に形成する第一端部パネルと、前記第一端部パネルとは別に形成されており、該第一端部パネルから長手方向に間隔を持って位置しており、前記衣類の前記後腰部領域を少なくとも部分的に形成する第二端部パネルと、前記第一及び第二端部パネルとは別に形成され、前記第一及び第二端部パネルの間を互いに横方向に間隔を持った関係で長手方向に延びる１対の側部パネルとを備え、前記第一及び第二端部パネルの各々は、前記衣類の少なくとも前記横方向に伸張可能であり、前記端部パネル及び側部パネルがともに、前記内側層の中央開口を構成し、前記側部パネルの各々は、前記第一及び第二端部パネルに固定されて、前記衣類の少なくとも横方向に伸長可能である、内側層と、
前記内側層と対向する関係の外側層と、
実質的に前記開口全体の下にあるように前記内側層の前記開口より大きいサイズであって前記内側層に固定され、前記中央開口において前記内側層を通過する身体排出物を受け取るために、前記内側層と前記外側層との間に配置された吸収性組立体と、
を含むことを特徴とする使い棄て吸収性衣類。
【請求項２】
前記吸収性組立体は、横方向に間隔を持つて位置する縁部を有し、前記縁部は、前記内側層の前記横方向に間隔を有する側部パネルにそれぞれ固定されて、前記内側層に前記吸収性組立体を固定することを特徴とする請求項１に記載の使い棄て吸収性衣類。
【請求項３】
前記各々の側部パネルの少なくとも１つの長手方向セグメントは、全体的に前記吸収性組立体及び端部パネルに対して、かつ、これらに関係なく位置決め可能であること特徴とする請求項１に記載の使い棄て吸収性衣類。
【請求項４】
前記少なくとも１つの長手方向セグメントは、全体的に前記外側層に対して、かつ、これに関係なく位置決め可能であることを特徴とする請求項３に記載の使い棄て吸収性衣類。
【請求項５】
前記吸収性組立体は、横方向に間隔を持つて位置する縁部を有し、各々の前記側部パネルは、内側縁と外側縁を有し、前記吸収性組立体の各々の縁部は、長手方向の取り付け線に沿って、それぞれの側部パネルの横方向中間の前記側部パネルの前記内側縁と前記外側縁に取り付けられ、その少なくとも長手方向セグメントに沿って、前記取り付け線、各々の側部パネルの前記外側縁は、前記吸収性組立体、外側層及び端部パネルに対して、かつ、これらに関係なく、前記取り付け線に位置決め可能であることを特徴とする請求項３に記載の使い棄て吸収性組立体。
【請求項６】
横方向にみて前記側部パネル各々における該側部パネルの前記外側縁と前記取り付け線との間に位置する部分は、前記側部パネルの脚部カフ部分を構成し、前記脚部カフ部分は、少なくとも前記側部パネルの前記長手方向セグメントに沿って、前記吸収性組立体及び端部パネルに関係なく、前記衣類の前記横方向に伸張可能であることを特徴とする請求項５に記載の使い棄て吸収性衣類。
【請求項７】
各々の側部パネルの前記脚部カフ部分は、前記衣類の前記長手方向にも弾性を有することを特徴とする請求項６に記載の使い棄て吸収性衣類。
【請求項８】
横方向にみて前記側部パネル各々における該側部パネルの前記内側縁と前記取り付け線との間に位置する部分は、前記側部パネルの収容フラップ部分を構成し、前記収容フラップ部分は、前記衣類の前記長手方向に弾性であることを特徴とする請求項６に記載の使い棄て吸収性衣類。
【請求項９】
衣類は、前記長手方向及び横方向に垂直なｚ方向を更に有し、前記吸収性組立体は、着用中に、少なくとも前記衣類の前記ｚ方向に膨張可能であることを特徴とする請求項１に記載の使い棄て吸収性衣類。
【請求項１０】
前記第一及び第二端部パネルは、実質的には液体不透過性であることを特徴とする請求項１に記載の使い棄て吸収性衣類。
【請求項１１】
前記側部パネルは、実質的に液体不透過性であることを特徴とする請求項１に記載の使い棄て吸収性衣類。
【請求項１２】
前記衣類の前記外側層は、少なくとも前記衣類の前記横方向に伸張可能であることを特徴とする請求項１に記載の使い棄て吸収性衣類。
【請求項１３】
前記側部パネルの各々は長手方向両側の端部縁を有し、該両側端部縁が前記第一及び第二端部パネルにそれぞれ固定されていることを特徴とする請求項１に記載の使い棄て吸収性衣類。
【請求項１４】
長手方向と、横方向と、前腰部領域と、後腰部領域と、前記前腰部領域と前記後腰部領域との間に長手方向に延びてこれら領域を相互結合する股部領域と、長手方向端部と、横方向側部縁とを有する使い棄て吸収性衣類であって、前記使い棄て吸収性衣類は、
前記衣類の着用者に向く内面と、外面とを有し、前記衣類の前記前腰部領域を少なくとも部分的に構成する第一端部パネルと、前記第一端部パネルとは別に形成され、前記第一端部パネルから長手方向に間隔を持って位置しており、前記衣類の前記後腰部領域を少なくとも部分的に形成する第二端部パネルと、前記第一及び第二端部パネルの間を長手方向に延びて前記第一及び第二端部パネルに固定され、少なくとも部分的に前記衣類の前記股部領域を形成する１対の横方向に間隔を持つ側部パネルとを有し、前記第一及び第二端部パネルの各々は、前記衣類の少なくとも前記横方向に伸張可能であり、前記側部パネルは、前記衣類の少なくとも前記横方向に伸長可能であり、前記端部パネル及び前記側部パネルはともに、前記内側層の中央開口を構成するようになった内側層と、
前記内側層と対向する関係の外側層と、
前記内側層を通過する身体排出物を受け取るために、前記内側層と前記外側層との間に配置され、横方向に間隔を持つ縁部を有する吸収性組立体と、
を含み、
前記吸収性組立体の各々の縁部は、それぞれの長手方向取り付け線に沿って、前記側部パネルのそれぞれ１つに固定され、それにより各々の側部パネルの少なくとも長手方向セグメントが、前記取り付け線まわりに、前記吸収性組立体及び端部パネルに対して、及びこれらに関係なく位置決め可能であり、
各々の側部パネルは、前記側部パネルの少なくとも前記長手方向セグメントに沿って延びる、長手方向に延びる弾性部材を更に含み、前記弾性部材は、前記側部パネルの前記長手方向セグメントを、全体的に前記着用者に押し付けるように、前記吸収性組立体縁部と前記それぞれの側部パネルとの間で、前記長手方向取り付け線と、横方向に間隔を持つ関係にあることを特徴とする使い棄て吸収性衣類。
【請求項１５】
前記長手方向セグメントは、前記吸収性組立体に対して、かつ、前記吸収性組立体に関係なく、前記長手方向に伸長可能であることを特徴とする請求項１４に記載の使い棄て衣類。
【請求項１６】
前記長手方向に延びる弾性部材は、前記長手方向の取り付け線の横方向内側に配置されることを特徴とする請求項１４に記載の使い棄て吸収性衣類。
【請求項１７】
前記長手方向に延びる弾性部材は、前記長手方向の取り付け線の横方向外側に配置されることを特徴とする請求項１４に記載の使い棄て吸収性衣類。
【請求項１８】
前記弾性部材は第一弾性部材であり、各々の側部パネルは、少なくとも前記側部パネルの前記長手方向セグメントに沿って固定された、長手方向に延びる第二弾性部材を含み、前記第二弾性部材は前記長手方向の取り付け線の横方向外側に配置されることを特徴とする請求項１６に記載の使い棄て衣類。
【請求項１９】
各々の側部パネルの前記長手方向セグメントは、前記外側層に対して、及び前記外側層とは関係なく、位置決め可能であることを特徴とする請求項１４に記載の使い棄て吸収性衣類。
【請求項２０】
個人着用のための、長手方向と、横方向を有する使い棄て吸収性衣類であって、前記使い棄て吸収性衣類は、
着用者に向く内面と、外面とを有する内側層を備え、
前記内側層は、第一パネルと、前記第一端部パネルから長手方向に間隔を持つ第二端部パネルと、前記第一及び第二端部パネルの間に縦方向に延びて該第一及び第二パネルに固定される１対の横方向に間隔を持つ側部パネルとを有し、
前記第一及び第二端部パネルの各々は、前記衣類の少なくとも前記横方向に伸張可能であり、前記側部パネル及び端部パネルは合わさって前記内側層の中央開口を構成し、各々の前記側部パネルの少なくとも一部は、前記着用者の脚部に接触するようにされた前記衣類の脚部カフを構成し、各々の側部パネルの前記脚部カフ部分は、前記衣類の少なくとも前記横方向に伸長可能であり、前記脚部カフを全体的に前記着用者の肌に対して押し付けるように、少なくとも１つの長手方向に延びる弾性部材を含み、
前記内側層と対向する関係で外側層が配置され、
横方向に間隔を持つ縁部を有する吸収性組立体が、前記内側層を通過する身体排出物を受け取るように、前記内側層と前記外側層との間に配置され、
前記吸収性組立体の各々の縁部は、前記側部パネルの前記脚部カフ部分の横方向内側に配置されたそれぞれの長手方向取り付け線に沿って、前記側部パネルのそれぞれ１つに固定され、
前記脚部カフの前記少なくとも１つの弾性部材は、前記長手方向の前記取り付け線の横方向外側に配置され、各々の側部パネルの前記脚部カフ部分は、各々の脚部カフ部分の少なくとも長手方向セグメントに沿って、前記衣類の前記吸収性組立体及び前記端部パネルに固定されず、前記セグメントに沿った前記脚部カフ部分は、前記吸収性組立体及び前記端部パネルに関係なく、前記衣類の前記横方向に伸張可能であることを特徴とする使い棄て吸収性衣類。
【請求項２１】
前記側部パネルは、前記外側層と、前記内側層の前記第一及び第二端部パネルとは別に形成されることを特徴とする請求項２０に記載の使い棄て吸収性衣類。
【請求項２２】
各々の脚部カフ部分の前記長手方向セグメントは、前記外側層に固定されておらず、前記セグメントに沿った前記脚部カフ部分は、前記外側層に関係なく前記衣類の前記横方向に伸張可能であることを特徴とする請求項２０に記載の使い棄て吸収性衣類。
【請求項２３】
前記脚部カフは、前記吸収性組立体に対して位置決め可能であることを特徴とする請求項２０に記載の使い棄て吸収性衣類。
【請求項２４】
前記脚部カフは、前記外側層に対して位置決め可能であることを特徴とする請求項２３に記載の使い棄て吸収性衣類。
【請求項２５】
長手方向と、横方向と、前腰部領域と、後腰部領域と、前記前腰部領域と前記後腰部領域との間に長手方向に延びてこれら領域を相互結合する股部領域と、長手方向端部と、横方向側部縁とを有する使い棄て吸収性衣類であって、前記使い棄て吸収性衣類は、
前記衣類の着用者に向く内面と、外面とを有する内側層を備え、
前記内側層は、前記衣類の前記前腰部領域を少なくとも部分的に構成する第一端部パネルと、前記第一端部パネルとは別に形成され、前記第一端部パネルから長手方向に間隔を持って、前記衣類の前記後腰部領域を少なくとも部分的に構成する第二端部パネルと、前記第一及び第二端部パネルとは別に形成され、前記第一及び第二端部パネルの間を長手方向に延び、前記第一及び第二端部パネルに固定されて、少なくとも部分的に前記衣類の前記股部領域を構成する１対の横方向に間隔を持つ側部パネルとを有し、
前記第一及び第二端部パネルの各々は、前記衣類の少なくとも前記横方向に伸張可能であり、前記側部パネルの各々は、内側縁と外側縁を有し、前記衣類の少なくとも前記長手方向に弾性があり、前記端部パネル及び前記側部パネルはともに、前記内側層の中央開口を構成し、
前記内側層と対向する関係で外側層が配置され、
横方向に間隔を持つ縁部を有する吸収性組立体が、前記内側層を通過する身体排出物を受け取るために、前記内側層と前記外側層との間に配置され、
前記吸収性組立体の各々の縁部は、前記側部パネルの前記内側縁と前記外側縁との間に横方向に配置されたそれぞれの長手方向取り付け線に沿って、前記側部パネルのそれぞれ１つに固定され、各々の側部パネルの前記内側縁と前記外側縁は、各々の側部パネルの少なくとも長手方向セグメントに沿って、前記吸収性組立体及び前記端部パネルに対して、及びこれらに関係なく、前記それぞれの取り付け線に位置決め可能であることを特徴とする使い棄て吸収性衣類。
【発明の詳細な説明】
【技術分野】
【０００１】
本発明は、一般的には、個人着用のための使い棄て衣類、特に、適合性を改善し、かつ漏れを減少させた使い棄て衣類に関する。
【０００２】
使い棄て衣類は、子供及び大人のための下着、幼児のための訓練用パンツとして着用される衣類、及び乳児のためのオムツとして着用される衣類の形態において使用されるものとして知られている。使い棄て吸収性衣類は、身体流体を吸収して収容するように設計されているが、制限された使用期間の間に、意図する機能を実施する能力が使い果たされる。特に、このような使い棄て吸収性衣類は、１又はそれ以上の放出の後、洗濯されずに廃棄されることが意図されている。
【０００３】
典型的には、心地よさ及び自由な動きのために、使い棄て衣類は、着用者の身体に密着して適合するものであることが望ましい。人の腰部に着用するための、現在入手可能な使い棄て衣類は、実質的に液体不透過性の外カバー、該外カバーと重なる関係にある液体透過性身体側ライナー、液体身体排出物を取り入れて保持するための、外カバーと身体カバーとの間に位置する吸収性構造体を含む。衣類の側部縁は、使い棄て衣類が着用された時、１対の脚部開口を形成し、衣類の端部とともに、その腰部開口を形成する。腰部弾性材、脚部弾性材などの弾性部品、及び収容フラップが、適合性を促進し、衣類からの漏れを妨げるために、一般的に使用される。
【０００４】
使い棄て衣類は、何年にもわたって知られてきたが、これらを形成するために使用される材料は、使い棄て材料を形成し、製造するための新しい技術の結果、継続的に発展してきた。材料は、性能のために選択されるか、又は経費利益、特に、多くの製造者が、非常に大量に使い棄て衣類及び使い棄て吸収性衣類を形成することができるように選択することができる。発展の一側面は、衣類の適合性、及び衣類の適合性の範囲内での改善という形で改善をもたらすために、以前は延伸可能ではなかった部品にとって代わる延伸可能な材料の開発及び利用であった。
【０００５】
使い棄て衣類を形成するために、伸張可能な材料の有益性が示され、伸張可能な材料を組み込む衣類のための様々な形態が述べられてきた。例えば、伸張可能な材料が、衣類の部品を形成するために選択されると、材料は、伸張特性の範囲を形成するように修正することができる。米国特許第６，１９３，７０１号（以後「’７０１特許」）は、弾性により伸張可能な外カバー及び／又は弾性により伸張可能な身体側ライナーを含むことができる個人ケアー用物品について述べている。
【０００６】
伸長可能な及びそうでなくても伸張可能な材料を利用する衣類に加えて、弾性材料を利用する衣類について述べられてきた。国際公開番号ＷＯ０２／３４１８４（以後「３４１８４公開」）は、二軸方向に伸張可能な外カバー及び二軸方向に伸張可能な身体側ライナーを有することができる吸収性衣類について述べている。３４１８４公開において適当であるものとして述べられている「二軸方向伸張可能な」材料は、少なくとも２つの方向に伸張可能な弾性材料を含む。
【０００７】
低価格で、及び／又は使い棄て衣類において使用するための改善された特性を有する伸張可能な材料の開発と同時に、使い棄て衣類の構造的特徴に関する開発も成された。このような種類の特徴の例としては、衣類の層の間に穴又は孔を形成して、排出物質を着用者の肌から分離することである。このような特徴の更に特定の例は、使い棄て吸収性衣類の身体側ライナーに孔又は開口を形成することであり、これは着用者の肌から固形排出物を分離して、オムツかぶれなどの煩わしい状態の発生を減少させる。
【０００８】
使い棄て衣類の構成に有益な材料及び構造特徴に関して著しい、かつ多くの開発が成されてきたが、このような衣類の適合性及び収容能力において、改善の機会がまだ存在する。例えば、着用者に改善された適合性をもたらしながら、漏れを妨げて、衣類に収容される排出された材料を、着用者の肌から離れて保持するような衣類に対する必要性がる。
【０００９】
【特許文献１】米国特許第６，１９３，７０１号公報
【特許文献２】国際公開番号ＷＯ０２／３４１８４
【特許文献３】米国特許第４，７９８，６０３号公報
【特許文献４】米国特許第５，１７６，６６８号公報
【特許文献５】米国特許第５，１７６，６７２号公報
【特許文献６】米国特許第５，１９２，６０６号公報
【特許文献７】米国特許第５，５０９，９１５号公報
【特許文献８】米国特許第４，６５７，８０２号公報
【特許文献９】米国特許第５，２２６，９９２号公報
【特許文献１０】米国特許出願一連番号１０／７０３，７６１
【特許文献１１】米国特許仮出願一連番号６０／５１８，１００
【特許文献１２】米国特許出願一連番号１０／７４３，２４５
【特許文献１３】米国特許第４，６６３，２２０号公報
【特許文献１４】米国特許第５，６９５，８６８号公報
【特許文献１５】米国特許第５，８４３，０５６号公報
【特許文献１６】米国特許第６，２１７，５６３号公報
【特許文献１７】米国特許出願一連番号０８／２４９，４３４
【特許文献１８】米国特許第４，９６５，１２２号公報
【特許文献１９】米国特許第５，８７９，３４１号公報
【特許文献２０】米国特許第５，８５５，９９９号公報
【非特許文献１】ＩＮＤＡ  ＩＳＴ−７０．４−９９
【発明の開示】
【発明が解決しようとする課題】
【００１０】
一実施形態においては、使い棄て吸収性衣類は、一般的には、長手方向と、横方向と、前腰部領域と、後腰部領域と、前腰部領域と後腰部領域との間に長手方向に延びてこれら領域を相互に結合する股部領域と、長手方向端部と横方向側縁とを有する。使い棄て吸収性衣類は、一般的には、衣類の着用者側に向く内面と、外面とを有する内側層を含む。内側層は、衣類の前腰部領域を少なくとも部分的に構成する第一端部パネルと、該第一端部パネルとは別に形成され、そこから長手方向に間隔を持って位置し、衣類の後腰部領域を少なくとも部分的に構成する第二端部パネルと、該第一及び第二端部パネルから間隔を持って形成される１対の側部パネルとを有し、該第一及び第二端部パネルの各々は、衣類の少なくとも横方向に伸張可能である。側部パネルは、第一及び第二端部パネルの間を互いに横方向に間隔を持った関係で長手方向に延び、端部パネルと側部パネルは合わさって内側層の中央開口を構成する。側部パネルの各々は、第一及び第二端部パネルに固定され、衣類の少なくとも横方向に伸長可能である。衣類は、内側層と対向する関係の外側層と、中央開口で内側層を通過する身体排出物を受け取るために、内側層と外側層との間に配置された吸収性組立体を含む。吸収性組立体は、内側層に固定され、内側層の中央開口より大きいサイズであって実質的に開口全体の下に置かれる。
【００１１】
別の実施形態による使い棄て吸収性衣類は、一般的には、長手方向と、横方向と、前腰部領域と、後腰部領域と、前腰部領域と後腰部領域との間に長手方向に延びてこれら領域を相互に結合する股部領域と、長手方向端部と横方向側部縁とを有する。使い棄て吸収性衣類は、一般的には、衣類の着用者側に向く内面と、外面とを有する内側層を含む。内側層は、衣類の前腰部領域を少なくとも部分的に構成する第一端部パネルと、該第一端部パネルとは別に形成され、そこから長手方向に間隔を持って位置し、衣類の後腰部領域を少なくとも部分的に構成する第二端部パネルと、第一端部パネルと第二端部パネルとの間に長手方向に延び、該第一及び第二端部パネルに固定されて、少なくとも部分的に衣類の股部領域を構成する、１対の横方に間隔を持つ側部パネルとを有し、該第一及び第二端部パネルの各々は、衣類の少なくとも横方向に伸張可能である。側部パネルは、衣類の少なくとも横方向に伸長可能である。端部パネル及び側部パネルは合わさって内側層の中央開口を構成する。衣類は、内側層と対向する関係の外側層と、内側層を通過する身体排出物を受け取るために、内側層と外側層との間に配置された吸収性組立体を含む。吸収性組立体は、横方向に間隔を持つ縁部を有し、吸収性組立体の各々の縁部は、それぞれの長手方向取り付け線に沿って、側部パネルの１つそれぞれに固定され、これにより各々の側部パネルの少なくとも長手方向セグメントは、吸収性組立体及び端部パネルに対して、かつこれらに関係なく取り付け線に位置決め可能である。各々の側部パネルは、側部パネルの少なくとも長手方向セグメントに沿って長手方向に延びる弾性部材を含む。弾性部材は、吸収性組立体縁部とそれぞれの側部パネルとの間の長手方向の取り付け線と横方向に間隔を持つ関係であり、着用者に対して、側部パネルの長手方向セグメントを全体的に押し付ける。
【００１２】
別の実施形態においては、個人着用のための使い棄て吸収性衣類は、一般的には、縦方向と横方向を有する。使い棄て吸収性衣類は、一般的には、衣類の着用者側に向く内面と外面を有する内側層を含む。内側層は、第一端部パネルと、該第一端部パネルから長手方向に間隔を有する第二端部パネルと、第一端部パネルと第二端部パネルとの間に長手方向に延び、該第一及び第二端部パネルに取り付けられる１対の横方向に間隔を持つ側部パネルとを有し、該第一及び第二端部パネルの各々は、衣類の少なくとも横方向に伸張可能である。側部パネル及び端部パネルはともに、内側層の中央開口を構成する。各々の側部パネルの少なくとも一部は、着用者の脚部に接触するようにされた、衣類の脚部カフを構成する。各々の側部パネルの脚部カフ部分は、衣類の少なくとも横方向に伸長可能で、全体的に衣類着用者の肌に対して脚部カフを押し付けるように、少なくとも１つの長手方向に延びる弾性部材を含む。使い棄て吸収性衣類は、内側層と対向する関係の外側層と、内側層を通過する身体排出物を受け取るために、内側層と外側層との間に配置された吸収性組立体を含む。吸収性組立体は、横方向に間隔を持つ縁部を有する。吸収性組立体の各々の縁部は、側部パネルの脚部カフ部分の横方向内側に配置されたそれぞれの長手方向取り付け線に沿って、脚部カフの少なくとも１つの弾性部材が、長手方向取り付け線の横方向外側に配置されるように、それぞれの側部パネルの１つに固定される。各々の側部パネルの脚部カフ部分は、少なくとも各々の脚部カフ部分の長手方向セグメントに沿って、衣類の吸収性組立体及び端部パネルとは固定されておらず、セグメントに沿った脚部カフ部分は、吸収性組立体及び端部パネルに関係なく、衣類の横方向に伸張可能である。
【００１３】
更に別の実施形態においては、使い棄て吸収性衣類は、一般的には、長手方向と、横方向と、前腰部領域と、後腰部領域と、及び前腰部領域と後腰部領域との間に長手方向に延びてこれら領域を相互結合する股部領域と、縦方向端部と横方向側部縁とを有する。使い棄て吸収性衣類は、一般的には、衣類の着用者側に向く内面と、外面とを有する内側層を含み、該内側層は、衣類の前腰部領域を少なくとも部分的に構成する第一端部パネルと、該第一端部パネルとは別に形成され、そこから長手方向に間隔を持って位置して、衣類の後腰部領域を少なくとも部分的に構成する第二端部パネルと、第一及び第二端部パネルとは別に形成されて、第一端部パネルと第二端部パネルとの間に長手方向に延び、少なくとも部分的に衣類の股部領域を構成する、１対の横方に間隔を持つ側部パネルとを有し、該第一及び第二端部パネルの各々は、衣類の少なくとも横方向に伸張可能である。側部パネルの各々は、内側縁と外側縁を有し、衣類の少なくとも長手方向に弾性を有する。端部パネル及び側部パネルは合わさって内側層の中央開口を構成する。使い棄て吸収性衣類は、内側層と対向する関係の外側層と、中央開口において内側層を通過する身体排出物を受け取るために、該内側層と外側層との間に配置された吸収性組立体を含む。吸収性組立体は、横方向に間隔を持って位置する縁部を有し、吸収性組立体の各々の縁部は、側部パネルの内側縁と外側縁との間に横方向に配置された、それぞれの長手方向取り付け線に沿って、それぞれの側部パネルの１つに固定される。各々の側部パネルの内側縁及び外側縁は、各々の側部パネルの少なくとも長手方向セグメントに沿って、吸収性組立体及び端部パネルに対して、かつこれらと関係なくそれぞれの取り付け線に位置決め可能である。
【００１４】
対応する参照番号は、図面の幾つかの図全体にわたって、対応する部分を示す。
【発明を実施するための最良の形態】
【００１５】
図面、特に図１及び２を参照すると、本発明の一実施形態による使い棄て衣類が、使い棄て吸収性衣類、特に、幼児又は乳児の腰部及び下胴部に着用されるように意図される、全体を２０で示しているオムツを参照して述べられている。しかしながら、本発明の様々な態様は、大人用失禁用衣類、訓練用パンツ、使い棄て水泳パンツ及び女性用衛生衣類などの、他の型の使い棄て衣類にも、同様に適合することが理解される。ここで参照されている使い棄て衣類は、制限された期間の使用を意図しており、洗濯されることは意図していない。例えば、使い棄てオムツは、着用者によって汚された後廃棄される。任意ではあるが、使い棄て衣類は、取替え可能な吸収性挿入物を含むことができ、衣類の残りの部品は、廃棄される前に数回再使用することができる。
【００１６】
示された実施形態の使い棄てオムツ２０は、一般的には、前腰部領域２２、後腰部領域２４、及び前腰部領域と後腰部領域との間に縦方向に延びてこれら領域を相互に結合する、ここでは股部領域２６として示されている中央領域を有する。前及び後腰部領域２２、２４は、着用した時、着用者の腰部及び／又は中央下胴部を全体的に、又は部分的に覆うか、或いは囲むオムツ２０の部分を含む。股部領域２６は、一般的には、着用した時、着用者の脚部の間に位置決めされて、着用者の下胴部及び股部を覆うオムツ２０の部分である。
【００１７】
オムツ２０は、図１に矢印により示されるように、長手方向３０及び該長手方向に対して垂直な横方向３２を有する。オムツは、全体的に、長手方向３０及び横方向３２に直角な「ｚ方向」３３を有する。ここに示されたオムツ２０の様々な部品は、適当なものとしては、オムツの着用者に向く内側表面５２（図１）（或いは、ここでは身体側表面とも言われる）及び着用者とは反対側の外側表面５４（図３）（ここでは衣類側表面とも言われる）を構成する。
【００１８】
更に図１を参照すると、オムツ２０は、１対の横方向両側の側部縁３４、及び１対の長手方向両側の端部３６を有する。オムツ２０は、図１及び２においては、折り畳まれずに平坦な状態（例えば、収縮されていない）で、着用者に設置する前のオムツの形態に類似する形で描かれている。着用されると、オムツは三次元形態となり（図示されず）、オムツの側部縁３４は、適切にオムツ２０の脚部開口を構成し、端部３６とともに、オムツ２０の腰部開口を構成する。
【００１９】
オムツ２０は、折り畳まれず平坦におかれた場合は、様々な適当な形状とすることができる。例えば、オムツ２０は、全体的に長方形形状、Ｔ形状、砂時計型、又は実施形態に示されているように全体的にＩ形状を有するものとすることができる。本出願に関連して使用するのに適当なオムツの形態の例としては、１９８９年１月１７日付けのＭｅｙｅｒ他の米国特許第４，７９８，６０３号、１９９３年１月５日付けのＢｅｒｎａｒｄｉｎの米国特許第５，１７６，６６８号、１９９３年１月５日付けのＢｒｕｅｍｍｅｒ他の米国特許第５，１７６，６７２号、１９９３年３月９日付けのＰｒｏｘｍｉｒｅ他の米国特許第５，１９２，６０６号、及び１９９６年４月２３日付けのＨａｎｓｏｎ他の米国特許第５，５０９，９１５号、に記されており、これらは、引用によりここに組み入れられる。本発明の様々な態様及び形態は、柔軟性、身体順応性、着用者の肌への赤染の減少、水化の減少、及び身体排出物の収容の改善などの異なる組み合わせを提供することができる。
【００２０】
示されたオムツ２０は、適当なものとしては、全体を４０で示す内側層、全体を４８で示し、内側層と全体的に対向する（より適当なものとしては、重なる）関係の外側層、全体を６０で示し、着用者により放出された身体排出物を取り入れて保持するために、オムツの内側層と外側層との間に配置された吸収性組立体を含む。内側層４０は、オムツ２０の内側表面５２を少なくとも部分的に構成する、内面すなわち身体側表面、及び外面、すなわち衣類側表面４４（図３）を有する。外側層４８は（一般的には外カバーと言われている）、内面すなわち身体側表面５０（図２及び３）、及びオムツ２０の外側表面を構成する外面すなわち衣類側表面を有する。
【００２１】
図１に示されている実施形態の内側層４０は、多数の部品構造であることが適切であり、特に、オムツ２０の前腰部領域２２を少なくとも部分的に構成する前部ウエストパネル６２（広義には、内側層の第一端部パネル）及びオムツの後腰部領域２４を少なくとも部分的に構成する後部ウエストパネル６４（広義には、内側層の第二端部パネル）を含む。前部ウエストパネル及び後部ウエストパネル６２、６４は、互いが長手方向に間隔を持つことが適当である。例えば、図１に示されている実施形態においては、前部ウエストパネルは、外側層４８と同じ位置にあって、オムツ２０の長手方向端部３６を構成する長手方向外端部と、長手方向内端部６２Ａを有する。後部ウエストパネル６４は、対向する外側層の端部と同じ位置にあって、オムツ２０の対向する長手方向端部３６を構成する長手方向外端部と、前部ウエストパネルの内端部６２Ａから長手方向に間隔を持つ長手方向内端部６４Ａを有し、それらの間の間隔は、少なくとも部分的にオムツの股部領域２６を構成する。
【００２２】
内側層４０は、更にオムツ２０の股部領域２６を長手方向に延び、更に適当なものとしては、股部領域の前腰部領域２２からオムツの後腰部領域２４まで延び、より適当なものとしては、オムツ２０の１つの端部３６からもう一方の端部まで延びる、横方向に間隔を持つ１対の側部パネル６８を含む。このように、前部及び後部ウエストパネル６２、６４と、横方向に間隔を持つ側部パネル６８は互いに合わさって、オムツ２０の内側層４０の中央開口７６を構成し、そこを通して、着用者から放出された液体、半液体、及び固形排出物が、吸収性組立体６０に通過する。各々の側部パネル６８は、横方向内側縁７１及び横方向外側縁７３を有する。示された実施形態においては、前部及び後部ウエストパネル６２、６４の側部縁と外側層４０の側部縁は同じ位置にあり、ともにオムツ２０の横方向側部縁３４を構成し、前部及び後部ウエストパネル６２、６４の長手方向内端部６２Ａ、６４Ａ、及び側部パネル６８の横方向内側縁７１は、ともにオムツの内側層４０の中央開口７６を構成する。
【００２３】
図１に示されている適切な一実施形態においては、内側層４０の側部パネル６８は、内側層４０の前部及び後部ウエストパネル６２、６４とは別に形成され、オムツ２０の１つの長手方向端部３６（すなわち、前部ウエストパネルの外端部）からオムツの反対側の長手方向端部（すなわち、後部ウエストパネルの外端部）に、長手方向に延びる。したがって、側部パネル６８の長手方向端部縁７５は、全体的に、オムツ２０の前及び後腰部領域２２、２４において、前部及び後部ウエストパネル６２、６４の下側にある。側部パネル６８は、適当なものとしては、側部パネルの端部縁７５の全体又は部分に沿って、前部及び後部ウエストパネル６２、６４に固定される。より適当なものとしては、側部パネル６８は、横方向内側縁７１及び／又は前部及び後部ウエストパネルの下側にある各々の側部パネル端部縁７５に近接する領域に沿って、前部及び後部ウエストパネル６２、６４に固定される。したがって、側部パネル６８の外側縁７３は、前部及び後部ウエストパネル６２、６４に固定することができない。別の実施形態においては（図示されず）、側部パネル６８は、オムツ２０の長手方向端部３６に対応して、前部及び後部ウエストパネルの長手方向外端部にのみ、前部及び後部ウエストパネル６２、６４に固定することができる。
【００２４】
図３に示されている適切な一実施形態においては、側部パネル６８は、全体的に側部パネルの横方向外側縁７３において、及び／又はそれに近接して、接着剤７８により外カバー４８に固定されることが適当である。接着剤７８は、均一な連続する接着剤の層、パターン化した接着剤の層、接着剤のスプレー塗布のパターン、接着剤の別個の線、渦巻き又はドットの列、或いはあらゆる他の接着剤のパターンとして付与することができる。ここで後に述べるように、側部パネル６８及び外側層４８は、横方向に伸張可能であり、側部パネルの外側層への取り付けは、側部パネル又は外側層いずれかの伸張可能性を妨げるものではない。更に、側部パネル６８の横方向内側縁７１は、外側層４８には取り付けられておらず、側部パネルの内側縁は、外側層に対して、及び外側層とは関係なく位置決め可能である。
【００２５】
しかしながら、側部パネル６８は、本発明の範囲内にとどまるために、オムツ２０の長手方向端部３６にまで延びる必要はないことが理解される。例えば、側部パネル６８は、前部及び後部ウエストパネルの各々の一部の下にある長さの大きさとするだけでよいが、そうでなければオムツ２０の端部３６の長手方向内側までとすることができる。本発明の範囲から外れることなく、側部パネル６８は、代わりに、前部及び後部ウエストパネル６２、６４の長手方向内端部６２Ａ、６４Ａと当接する関係（例えば端部突合せ）まで、長手方向に延びる長さの大きさとし、そこに固定することができると考えられる。
【００２６】
内側層４０の前部及び後部ウエストパネル６２、６４は、適当なものとしては、しなやかで、柔軟な感触で、着用者の肌に刺激を与えないものとする。ウエストパネル６２、６４は、オムツ２０の望ましい全体形状に応じて、長方形（例えば、示した実施形態の前部ウエストパネル）、台形又はその他の長方形ではない形（例えば、示した実施形態の後部ウエストパネル）などのあらゆる適当な形状を有することができる。前部及び後部ウエストパネル６２、６４の１つ又は両方は、図１に示されているように、結合部材６８の横方向外側縁７３（図３）を越えて、横方向外側に延びることができる。しかしながら、前部及び後部ウエストパネル６２、６４の側部縁は、代わりに結合部材６８の横方向外側縁７３と同じ位置にあり、これは本発明の範囲内に留まることができると理解される。
【００２７】
前部及び後部ウエストパネル６２、６４は、適当なものとしては、蒸気及び液体透過性とするか、蒸気透過性ではあるが液体不透過性であるか、又は蒸気及び液体不透過性とするように形成することができる。例えば、前部及び後部ウエストパネル６２、６４は、適当なものとしては、いずれかの液体透過性材料で形成することができ、そこから吸収性組立体６０のトップシート１５３が、ここで後に述べるようにして形成される。別の例として、前部及び後部ウエストパネル６２、６４は、適当なものとしては、いずれかの材料で形成することができ、そこから吸収性組立体のバックシート１５７が、ここで後に述べるようにして形成される。
【００２８】
特に適当な実施形態においては、前部及び後部ウエストパネル６２、６４は、適当なものとしては、伸張可能であり、より適当なものとしては、オムツ２０の少なくとも横方向において弾性（すなわち、エラストマー性により伸張可能）であり、オムツ着用者の腰部で収縮力を与える。前部及び後部ウエストパネル６２、６４は、オムツの長手方向においても伸張可能であり、更に弾性とすることができると考えられる。
【００２９】
ここで用いられる、「伸張可能な」という用語は、伸長可能又はエラストマー性とすることができることを意味する。すなわち、材料は、破断することなく伸長、変形又は同様のことができ、伸長力を除去した後に、かなり収縮することができるか、又は収縮することができない。「エラストマー性」又は「弾性」という用語は、ここでは互換的に使用され、引き伸ばし力を除去した時、材料が、実質的にはその伸張されていない時の大きさ及び形状に回復することが可能であるか、又は材料が著しい収縮力を示すような材料の特性を意味する。「伸長可能な」という用語は、引き伸ばし力を除去した時、材料が、実質的には永久的変形を成すか、又は材料が、著しい収縮力を示さないような材料の特性を意味する。特に、本発明に関連して利用されるエラストマー性材料は、破断することなく、少なくとも１つの方向に、少なくとも２５％が（その最初の伸張していない長さの少なくとも１２５％まで）、適当なものとしては、少なくとも１つの方向に少なくとも５０％が（その最初の伸張していない長さの少なくとも１５０％まで）伸びる／延びる又は伸張することができ、付与した伸張力又はバイアス力を取り除いた時に、その伸びの少なくとも１０％が回復する。エラストマー性材料又は複合体は、その弛緩された長さの少なくとも１００％が、より適当なものとしては少なくとも２００％が伸び、伸張力、バイアス力を取り除いた時、約１分以内にその伸びの少なくとも３０％が、より適当なものとしては５０％が回復することができることが、一般的には適当である。
【００３０】
同様に、本発明の伸長可能な又は引き伸ばし可能な材料は、破断することなく、少なくとも１つの方向に少なくとも２５％まで（その最初の伸張されていない長さの少なくとも１２５％まで）、適当なものとしては、少なくとも５０％まで（その最初の伸張されていない長さの少なくとも１５０％まで）、より適当なものとしては少なくとも１００％まで（その最初の伸張されていない長さの少なくとも２００％まで）、少なくとも１つの方向に伸張可能とすることができる。例としては、３インチ（７．６センチメートル）の最初の伸張されていない長さを有する伸長可能な材料は、破断することなく、少なくとも１つの方向に、少なくとも３．７５インチ（９．５センチメートル）の伸張後長さに伸張することができる（「少なくとも２５％が」の値の場合）。
【００３１】
伸張可能な前部及び後部ウエストパネル６２、６４を形成するために様々な材料を使用することができる。例えば、１つの適当な実施形態においては、パネル６２、６４の各々は、弾性であり、延伸接着した積層体（ＳＢＬ）などの３プライの積層体を含み、これは内側層が延伸された状態で、弾性内側層に取り付けられた２つの不織表面から成る。１つのこのような適当なＳＢＬ材料は、Ｍｏｒｍａｎの米国特許第４，６５７，８０２号に記載されており、この特許は引用によりここに組み入れられる。
【００３２】
弾性パネル６２、６４の別の適当な実施形態は、ネック付与状態で接着した積層体（ＮＢＬ）であり、これも、３プライの積層体であるが、弾性内側層は、２つの不織表面に取り付けられる前に、予め伸張されるものではない。ＮＢＬでは、不織表面は、ネック付与の伸張が与えられて、弾性内側層は、ネック付与した表面の間に取り付けられる。他の適当な弾性により伸張可能なＮＢＬ材料は、１９９３年７月１３日付けのＭｏｒｍａｎの米国特許第５，２２６，９９２号に記載されており、この特許は引用によりここに組み入れられる。
【００３３】
他の実施形態においては、パネル６２、６４は、弾性により伸張可能なフィルム材料から形成することができる。このようなフィルムは、横方向、縦方向、又は両方に弾性とすることができる。１つの適当な弾性フィルムは、２００３年１１月７日付けの「Ｍｉｃｒｏｐｏｒｏｕｓ  Ｂｒｅａｔｈａｂｌｅ  Ｅｌａｓｔｉｃ  Ｆｉｌｍｓ，Ｍｅｔｈｏｄｓ  ｏｆ  Ｍａｋｉｎｇ  Ｓａｍｅ，Ａｎｄ  Ｌｉｍｉｔｅｄ  Ｕｓｅ  ｏｒ  Ｄｉｓｐｏｓａｂｌｅ  Ｐｒｏｄｕｃｔ  Ａｐｐｌｉｃａｔｉｏｎ」という名称の、米国特許出願一連番号１０／７０３，７６１に記載されているような通気性男性フィルムであり、この特許は引用によりここに組み入れられる。このような通気性のある、弾性フィルムの使用は、本発明の衣類の着用者の肌の健康のために、付加的有益性を与えることができる。
【００３４】
前部及び後部ウエストパネル６２、６４を形成するのに使用するための、適当な通気性弾性フィルム積層体の付加的例としては、２００３年１１月７日付けの「Ｍｉｃｒｏｐｏｒｏｕｓ  Ｂｒｅａｔｈａｂｌｅ  Ｅｌａｓｔｉｃ  Ｆｉｌｍ  Ｌａｍｉｎａｔｅｓ，  Ｍｅｔｈｏｄｓ  ｏｆ  Ｍａｋｉｎｇ  Ｓａｍｅ，  ａｎｄ  Ｌｉｍｉｔｅｄ  Ｕｓｅ  ｏｒ  Ｄｉｓｐｏｓａｂｌｅ  Ｐｒｏｄｕｃｔ  Ａｐｐｌｉｃａｔｉｏｎｓ」という名称の米国特許仮出願一連番号６０／５１８，１００に記載されており、この特許は引用によりここに組み入れられる。他の適当な弾性積層体は、２００３年１２月２２日付けの「Ｅｘｔｅｎｓｉｂｌｅ  ａｎｄ  Ｓｔｒｅｔｃｈ  Ｌａｍｉｎａｔｅｓ  ａｎｄ  Ｍｅｔｈｏｄ  ｏｆ  Ｍａｋｉｎｇ  Ｓａｍｅ」という名称の、米国特許出願一連番号１０／７４３，２４５号に記載されており、この特許は引用によりここに組み入れられる。
【００３５】
前部及び後部ウエストパネル６２、６４を形成することができる他の適当な弾性不織材料としては、メルトブロー法などの不織製造方法を使用して処理されるエラストマー性材料がある。ミクロ繊維／不織ウエブに形成することができる適当なエラストマーは、１９８７年５月５日付けの「Ｐｏｌｙｏｌｅｆｉｎ−Ｃｏｎｔａｉｎｉｇ  Ｅｘｔｒｕｄａｂｌｅ  Ｃｏｍｐｏｓｉｔｉｏｎｓ  ａｎｄ  Ｍｅｔｈｏｄｓ  ｆｏｒ  Ｔｈｅｉｒ  Ｆｏｒｍｕｌａｔｉｏｎ  Ｉｎｔｏ  Ｅｌａｓｔｏｍｅｒｉｃ  Ｐｒｏｄｕｃｔｓ  Ｉｎｃｌｕｄｉｎｇ  Ｍｉｃｒｏｆｉｂｅｒｓ」という名称のＷｉｓｎｅｓｋｉ他の米国特許第４，６６３，２２０号に記載されており、この特許は引用によりここに組み入れられる。複合不織弾性ウエブを形成するためのＫＲＡＴＯＮコポリマー（「ＫＲＡＴＯＮ」は、Ｓｈｅｌｌ  Ｃｈｅｍｉｃａｌ  Ｃｏｍｐａｎｙの商標名である。）のメルトブロー法は、１９８７年４月１４日付けの「Ｃｏｍｐｏｓｉｔｅ  Ｎｏｎｗｏｖｅｎ  Ｅｌａｓｔｉｃ  Ｗｅｂ」という名称のＭｏｒｍａｎの米国特許題４，６５７，８０２号に記載されており、この特許は引用によりここに組み入れられる。
【００３６】
側部パネル６８は、後続の組立体のために、前部及び後部ウエストパネル６２、６４、及び吸収性組立体６０から切り離して形成される。側部パネル６８は、適当なものとしては、全体的にしなやかで、柔軟な感触を持ち、更に着用者の肌に刺激を与えないように形成される。１つの特定の適当な実施形態においては、各々の側部パネル６８は伸張可能であり（例えば、少なくとも伸長可能）、より適当なものとしては、オムツ２０の長手方向に弾性とする。少なくとも長手方向に伸張可能な側部パネル６８を有する少なくとも横方向に伸張可能な前部及び後部ウエストパネル６２、６４の組み合わせは、二軸方向に（例えば、横方向及び長手方向）伸張可能なオムツの内側層４０を形成する。
【００３７】
別の適当な実施形態においては、各々の側部パネル６８は、付加的に伸張可能（例えば、少なくとも伸長可能）であり、オムツ２０の横方向３２に弾性を有するものとすることができる。側部パネルに横方向３２の伸張性を付与すると、側部パネル縁部７５を前部及び後部ウエストパネル６２、６４に固定することが、前部及び後部ウエストパネルの伸張特性を横方向に有するという限定された効果を減少することとなる。側部パネル６８の横方向伸張可能性は、使用中に、前部及び後部ウエストパネル６２、６４の長手方向内端部６２Ａ、６４Ａの間に延びる側部パネルの少なくとも長手方向セグメントに沿って、例えば吸収性組立体、外側層及び前部及び後部ウエストパネルに関係なく、側部パネルを伸張させることとなる。
【００３８】
示された実施形態においては、各々の側部パネル６８は、適当なものとしては、織成材料、不織材料などの細長いストリップを含み、フィルム又は積層体は、このような材料の１又はそれ以上の層を含む。例としては、側部パネル６８は、適当なものとしては、いずれの材料でも形成することができ、そこから吸収性組立体６０のトップシート１５３又はバックシート１５７が、ここで後に述べるようにして形成することができる。側部パネル６８は、適当なものとしては、蒸気透過性及び液体不透過性となるように形成される。しかしながら、側部パネル６８は、代替的には、本発明の範囲内で、蒸気及び液体不透過性か、或いは蒸気及び液体透過性とすることができる。
【００３９】
各々の側部パネル６８は、適当なものとしては、側部パネルの長さ全体又は部分に沿って、１又はそれ以上の長手方向に延びる弾性部材を固定することにより、長手方向に弾性とさせる（例えば、エラストマー性により伸張可能）。図３に示された実施形態において、例としては、弾性部材は、収容フラップとともに使用するものとして知られている弾性ストランド８０、８２、オムツなどの従来の使い棄て衣類の腰部弾性材及び脚部カフを含む。特に、１つの弾性部材は、側部パネル６８の横方向内側縁７１に近接して、長手方向に延びる１対の弾性ストランド８０を含む。弾性ストランド８０が固定されている材料のストリップは、側部パネル６８の横方向内側縁７１で折り畳まれて、その中に弾性ストランドを囲む。弾性ストランド８０は、適当なものとしては、前部及び後部ウエストパネル６２、６４の長手方向内端部６２Ａ、６４Ａの間の、少なくとも側部パネル６８のセグメントに沿って延びるが、側部パネルの長さより長い範囲又は短い範囲に沿って延びることができる。弾性ストランド８０（広くは、弾性部材）は、適当なものとしては、材料のストリップに固定されるが、弾性ストランドは、伸張された状態である。
【００４０】
側部パネル６８の別の弾性部材は、弾性ストランド８０と横方向に間隔を持った関係で、より適当なものとしては、側部パネル６８の横方向外側縁７３に近接して、側部パネルの長手方向に延びる３つの弾性ストランドを含む。図３に示されているように、弾性ストランド８２は、材料のストリップ及びストリップの衣類側側部に固定され、側部パネル６８の外側縁７３を外側層に固定する場合に、弾性ストランドは、その間に囲まれる。しかしながら、側部パネル６８の外側縁７３は、適当なものとしては、ストランド８２を越えて折り畳むことができると理解される。弾性ストランド８２は、適当なものとしては、前部及び後部ウエストパネル６２、６４の長手方向内端部６２Ａ、６４Ａの間の、少なくとも側部パネル６８のセグメントに沿って長手方向に延びるが、側部パネルの長さより長いか又は短い範囲に沿って延びることができる。弾性ストランド８２（広くは、側部パネル６８の外側縁７３に近接する弾性部材）は、適当なものとしては、材料のストリップに固定されるが、弾性ストランドは、伸張された状態である。
【００４１】
示された実施形態においては、弾性ストランド８２により構成された弾性部材は、長手方向に、実質的に弾性のストランド８０により構成された弾性部材と同じ長さに延びるが、側部パネル６８の外側縁７３（ストランド８２）に近接する弾性部材の長さは、内側縁７１に近接する弾性部材の長さとは異なるものとすることができ、これは本発明の範囲内に留まると理解される。図３に、弾性部材が、１又はそれ以上の弾性ストランド８０、８２を含むように示されているが、弾性部材は、本発明の範囲から外れることなく、広めの弾性バンド又は他の適当な弾性部材などの、弾性ストランドではないものとすることができることが考えられる。側部パネル６８の内側縁７１に近接する弾性部材の伸張性及び弾性は、側部パネルの外側縁７３に近接する弾性部材の伸張性及び弾性とは異なるものとすることができることが、更に理解される。
【００４２】
他の実施形態においては、側部パネル６８は、本発明の範囲から外れることなく、側部パネルの外側縁７３に近接する弾性部材を１つだけを、例えば側部パネルの内側縁に近接する弾性部材は省略された状態で、有することができる。結合部材全体は、弾性材料のいずれかなどの、弾性材料で形成することができ、それから前部及び後部ウエストパネル６２、６４を形成することができると考えられる。
【００４３】
図２及び３を特に参照すると、吸収性組立体６０は、長手方向両側の端部８１及び横方向両側の側部縁８３を有し、内側層４０の中央開口７６は、例えばオムツ２０の股部領域２６の下に配置されて、内側層を通過する身体排出物を受け取る。この吸収性組立体６０は、適当なものとしては、オムツ２０の全体の長さより短い長さの大きさとするが、少なくとも前部及び後部ウエストパネル６２、６４の長手方向内端部６２Ａ、６４Ａまで、更により適当なものとしては、前部及び後部ウエストパネル６２、６４の長手方向内端部６２Ａ、６４Ａを越えて長手方向に延びる（例えば、内側層４０の中央開口７６と少なくとも同じ大きさ、更により適当なものとしては、内側層４０の中央開口７６より長い大きさ）。吸収性組立体６０は、適当なものとしては、オムツ２０の全体の幅より僅かに狭い幅とするが、少なくとも側部パネル６８の横方向内側縁７１まで、更により適当なものとしては、側部パネル６８の横方向内側縁７１の横方向外側に、横方向に延びる（例えば、内側層の中央開口と同じ幅、更により適当なものとしては内側層の中央開口より広い大きさ）。しかしながら、吸収性組立体６０は、本発明の範囲から外れることなく、オムツ２０の長手方向端部３６まで長手方向に、及び／又はオムツの側部縁３４まで横方向に延びることができることが理解される。
【００４４】
示された吸収性組立体６０は、トップシート１５３、バックシート１５７、及び液体身体排出物（例えば、衣類がオムツ２０の場合は尿）を取り入れて保持するための、これらの間に配置される吸収性構造体１５５を含むことが適切である。特に、トップシート１５３及びバックシート１５７は、対向する状態で、全体的に互いに同一の広がりを持つ関係にあり、吸収性組立体の長手方向端部８１及び横方向側部縁８３をともに構成するものであることが適当である。しかしながら、トップシート１５３及びバックシート１５７は、同一の広がりとする必要はなく、例えば、本発明の範囲から外れることなく、一方が他方より長い及び／又は幅が広いものとすることができ、吸収性組立体６０の長手方向端部８１及び／又は横方向側部縁８３を単一で構成することができる。
【００４５】
吸収性組立体６０のトップシート１５３は、適当なものとしては、内側層４０の中央開口７６を通して着用者の肌に曝されるので、しなやかで、柔軟な感触を持ち、着用者の肌に刺激を与えないような吸収性組立体の内側、すなわち身体側表面を構成する。更に、トプシーと１５３は、吸収性構造体１５５に比べてあまり親水性ではないものとすることができ、液体透過性であるように十分に多孔性であり、液体身体排出物は、トップシートを通して吸収性構造体１５５まで容易に挿通することができる。トップシート１５３は、適当なものとしては、多孔性発泡体、網目状発泡体、孔あき可塑性フィルム、天然繊維（例えば、木質繊維又は綿繊維）、合成繊維（例えば、ポリエステル繊維又はポリプロピレン繊維）、又は天然繊維と合成繊維の組み合わせなどのウエブ材料を広く選択して形成することができる。
【００４６】
特に、様々な織成布及び不織布が、トップシート１５３に使用することができる。例えば、トップシート１５３は、ポリオレフィン繊維のメルトブローンウエブ又はスパンボンドウエブで形成することができる。トップシート層１５３は、天然繊維及び／又は合成繊維から成るボンデッドーカーデッドウエブとすることができる。トップシート１５３は、実質的には、疎水性材料から成ることができ、疎水性材料は、任意ではあるが、望ましい程度の湿潤性及び親水性を与えるために、表面活性剤で処理されるか、又はその他の方法で加工することができる。一例としては、トップシート１５３は、適当なものとしては、約２２グラム／平方メートルの基本重量及び約０．０６グラム／立方センチメートルの密度を有するウエブに形成された、約２．８−３．２デニール繊維で形成された、不織、スパンボンド、ポリプロピレン布を含むことができる。ウエブは、約０．２８％のＴｒｉｔｏｎ  Ｘ−１０２表面活性剤などの適当な表面活性剤で処理することができ、これはスプレー塗布、印刷、ブラシ被膜、又は同様のものなどのあらゆる従来の手段により付与することができる。
【００４７】
バックシート１５７は、適当なものとしては、液体不透過性であるように形成され、蒸気透過性であることもでき、蒸気透過性ではないこともできる。例えば、バックシート１５７は、薄い可塑性フィルム又は他の可撓性液体不透過性材料から形成することができる。より特定の例においては、バックシート１５７は、約０．０１３ミリメートル（０．５ミル）から約０．０５１ミリメートル（２．０ミル）の厚さを有するポリエチレンフィルムから形成することができる。バックシート１５７は、ポリオレフィン繊維のスパンボンドウエブなどの、その外側表面に積層された不織ウエブを有するポリオレフィンフィルムから形成することができる。例えば、約０．０１５ミリメートル（０．６ミル）の厚さを有する延伸により薄肉にされたポリプロピレンフィルムが、約１７グラム／平方メートル（０．５オンス／平方ヤード）の基本重量を有する不織ウエブで、約１５から２０ミクロンの繊維直径を有するポリプロピレン繊維のスパンボンドウエブに、熱により積層することができる。バックシート１５７は、幾つかの実施形態においては、ポリエチレン／ポリプロピレン二成分繊維などの、二成分繊維を含むことができる。バックシート１５７は、マイクロポーラスフィルムに積層された蒸気透過性不織表面層を含むことができ、バリア層に「通気性」を与える。適当な「通気性」バリア層１５７材料は、１９９７年１２月９日付けのＭｃＣｏｒｍａｃｋ他の米国特許第５，６９５，８６８号及び１９９８年１２月１日付けのＧｏｏｄ他の米国特許第５，８４３，０５６号に記載されており、この特許は、一貫性がある範囲で引用によりここに組み入れられる。
【００４８】
バックシート１５７は、ここで後に述べられる材料のいずれかで形成することができ、そこからオムツ２０の外側層４８を形成することができる。バックシート１５７は、外側層４８と同じ材料で形成することができるが、バックシート１５７及び外側層４８は、異なる材料で形成することができ、これは本発明の範囲内であると考えられる。特に、例えば、バックシート１５７は、実質的にはオムツ２０の外側層４８により覆われて、オムツの外側に露出しないので、不織又はその他の柔軟な感触の外側表面を有する必要はない。他の適当なバックシート１５７の構造は、（Ｖａｎ  Ｇｏｍｐｅｌ他の）米国特許第６，２１７，５６３号に記載されており、この特許は一貫性がある範囲で引用によりここに組み入れられる。バックシート１５７は、任意ではあるが、伸張可能とすることができ、更に任意ではあるが、弾性とすることができる。
【００４９】
吸収性組立体６０の吸収性構造体１５５は、適当なものとしては、セルロース系フラフのウエブなどの、親水性繊維のマトリックスを含むことができ、任意ではあるが、超吸収性材料として一般的に知られている、高吸収性材料を含むことができる。例えば、吸収性構造体１５５は、木質パルプフラフなどのセルロース系フラフのマトリックス、及び超吸収性ヒドロゲル形成粒状物を含むことができる。木質パルプフラフは、合成繊維、ポリマー性繊維、メルトブローン繊維と交換することができるか、又はメルトブローン繊維と天然繊維の組み合わせと交換することができる。超吸収性粒状物は、実質的には、親水性繊維と均一に混合することができるか、又は非均一に混合することができる。代替的には、吸収性構造体１５５は、繊維性ウエブの積層体及び超吸収性材料又は局所的領域において超吸収性材料を維持するための適当なマトリックスを含むことができる。吸収性構造体１５５の大きさ及び吸収容量は、着用しようとする人の大きさ、及び衣類の意図された使用により与えられる液体負荷に適合するべきである。更に、吸収性構造体１５５の大きさ及び吸収容量は、幼児から大人までの範囲にわたる、使い棄て吸収性衣類着用者を受け入れるために、種々異ならせることができる。
【００５０】
高吸収性材料は、天然、合成、及び変成された天然ポリマー及び材料から選択することができる。高吸収性材料は、シリカゲルなどの無機材料、又は架橋結合ポリマーなどの有機化合物とすることができる。「架橋結合された」という用語は、通常は水溶性材料を、実質的には非水溶性ではあるが膨潤可能に効率的にするための方法を意味する。このような方法は、例えば、物理的交絡、結晶化領域、共有結合、イオン鎖及びイオン結合、水素結合などの親水性結合、及び疎水性結合又はワンデルワールス力を含む。合成材料、ポリマー性材料、高吸収性材料の例としては、ポリ（アクリル酸）及びポリ（メタクリル酸）のアルカリ金属及びアンモニウム塩、ポリ（アクリルアミド）、ポリ（ビニルエーテル）、ビニルエーテル及びアルファオレフィンを有する無水マレイン酸コポリマー、ポリ（ビニルピロリドン）、ポリ（ビニルモルフォリノン）、ポリ（ビニルアルコール）、及びこれらの混合物及びコポリマーを含む。吸収性構造体１５５に使用するために更に適当なポリマーは、加水分解されたアクリロニトリルグラフト澱粉、アクリル酸グラフト澱粉、メチルセルロース、カルボキシメチルセルロース、ヒドロキシプロピルセルロースなどの天然ポリマー及び変成された天然ポリマー、及びアルギン酸塩、キサンタンゴム、イナゴマメゴム、及び同様のものなどの天然ゴムを含む。天然ポリマーと全体的又は部分的に合成吸収性ポリマーとの混合物も、有益とすることができる。高吸収性材料は、広く種々異なる幾何学的形態のいずれかとすることができる。一般的には、高吸収性材料は、別個の粒状物の形態とする。しかしながら、高吸収性材料は、繊維状、フレーク状、ロッド状、球状、針状、又は同様のものの形態とすることができる。
【００５１】
一般的には、高吸収性材料は、適当なものとしては、吸収性構造体１５５の総重量を基本にして、約５重量パーセントから約９０重量パーセントの量で、より適当なものとしては、少なくとも約３０重量パーセントの量で、より適当なものとしては、少なくとも約５０重量パーセントの量で、吸収性構造１５５内に存在する。例えば、特定の態様においては、吸収性構造体１５５は、高吸収性材料を局所的領域に維持するために、繊維性ウエブ又は他の適当な材料により囲まれた高吸収性材料の、少なくとも約５０重量パーセント、より適当なものとしては少なくとも約７０重量パーセントを含む積層体を含むことができる。本発明において使用するのに適当な高吸収性材料の例としては、ミシガン州ミッドランドに所在するＤｏｗ  Ｃｈｅｍｉｃａｌから入手可能な、ＤＲＹＴＥＣＨ２０３５ポリマーがある。他の適当な超吸収体は、ノースカロライナ州グリーンズボロに所在するＳｔｏｃｋｈａｕｓｅｎから得られる、ＦＡＶＯＲ  ＳＸＭ８８０ポリマーを含むことができる。
【００５２】
吸収性構造体１５５は、繊維性マトリックスの身体側表面を少なくとも覆うラップシート（図示されず）を含み、更により適当なものとしては、ラップシート内のマトリックスを囲むことができる。代替的には、ラップシートは、マトリックスの身体側表面及び衣類側表面の両方を覆うことができるが、マトリックスの側部を覆うことはできない。ラップシートは、適当なものとしては、吸収性材料、又は少なくとも液体透過性材料を含む。例えば、適当なラップシートは、メルトブローンポリプロピレン繊維などのメルトブローン繊維から成るメルトブローンウエブを含むことができる。適当なラップシートの別の例としては、およそ５０／５０の硬材繊維／軟材繊維の混合物から成るティッシュウエブなどの、低孔隙率セルロース系ウエブを含むことができる。
【００５３】
図２及び６を参照すると、吸収性組立体６０は、トップシート１５３と吸収性構造体１５５との間に位置決めされるサージ処理層１６０を含むことができ、液体排出物を吸収性構造体１５５に迅速に取り入れて、効率的に分散する。サージ処理層の適当な構造及び配列は、当業者によく知られている。サージ処理層１６０は、吸収性構造体１５５より狭い幅を持つ大きさで、更に実質的には吸収性構造体の長さより短い大きさである。サージ層１６０は、適当なものとしては、最初の放出が起こる吸収性組立体の前端部近くに、長手方向に位置決めされる。
【００５４】
図３に示されるように、吸収性組立体６０のトップシート１５３及びバックシート１５７は、吸収性構造体１５５の側部縁を越えて、吸収性組立体６０の側部縁８３まで、横方向に延びることができる。すなわち、吸収性構造体の幅は、トップシート１５３及び／又はバックシート１５７の幅より小さいものであり、吸収性組立体６０の側部縁８３は、吸収性構造体の側部縁の横方向外側に配置される。特定の実施形態においては、トップシート１５３及びバックシート１５５は、適当なものとしては、吸収性組立体６０の長手方向端部８１及び横方向側部縁８３に沿って、接着剤接着、超音波接着、熱接着又は他の適当な固定技術によって、互いが固定される。トップシート１５３は、実施形態に示されているように、バックシート１５７に直接固定するか、又は中間部品などにより間接的に固定することができる。
【００５５】
トップシート１５３及び／又はバックシート１５７の横方向外側延長部は、適当なものとしては、図３に示されているようにＣ折りであり、吸収性組立体６０の横方向縁部８８（例えば、吸収性組立体の側部縁８３の横方向領域、及び／又は側部縁８３に近接した横方向領域）、及びより適当なものとしては、その衣類側表面は、ここで後に述べるように、そこに取り付けるために、オムツ２０の内側層４０と対向する関係にある。特に、横方向縁部８８での吸収性組立体６０の外側すなわち衣類側表面（例えば、バックシート１５７の外側表面）は、内側層４０の外側すなわち衣類側表面４４と、更により適当なものとしては、内側層の側部パネル６８と対向する関係にある。トップシート１５３及び／又はバックシート１５５の横方向延長部は、替わりにＺ折り又は別の適当な方法で折り畳むことができ、吸収性組立体６０への流れ込みの時に、横方向延長部を次に折り畳まないように、又は膨らまないようにさせると考えられる。更に、トップシート１５３及び／又はバックシート１５５の横方向延長部は、横方向縁８８での吸収性組立体の内側すなわち身体側表面は、内側層４０の衣類側表面４４と対向する関係で、更に衣類側表面４４に固定されると考えられる。
【００５６】
トップシート層１５３及びバリア層１５７の横方向延長部は、吸収性構造体１５５に流れ込みがある時、吸収性組立体６０をｚ方向３３（図３）に膨らませる。前部及び後部ウエストパネル６２、６４が、横方向に伸張して、側部パネル６８が更に離れるように移動するような場合には、横方向延長部は、内側層開口７６の横方向伸びの上に、吸収性組立体６０の横方向に膨らますことが可能である。
【００５７】
図３を特に参照すると、吸収性組立体６０の横方向縁部８８は、適当なものとしては、接着剤１５９により側部パネル６８に固定される。接着剤１５９は、均一に連続する接着剤の層、パターン化した接着剤の層、接着剤のスプレー塗布のパターン、接着剤の別個の線、渦巻き、ドットの列、又はあらゆる他の接着剤のパターンとして付与することができる。吸収性組立体６０の横方向縁部８８は、代替的に、又は付加的に、超音波接着、熱接着、又は他の適当な固定技術により、側部パネル６８に固定することができると理解される。
【００５８】
吸収性組立体６０は、適当なものとしては、その長手方向端部に沿って、それぞれの前部及び後部ウエストパネル６２、６４に固定される。吸収性組立体６０は、特にウエストパネルの長手方向内端部６２Ａ、６４Ａに沿って、側部パネル６８の間で横方向に、前部及び後部ウエストパネル６２、６４に固定されていない。この方法においては、前部及び後部ウエストパネル６２、６４及び吸収性組立体６０はともに、着用中に、液体、半液体、及び固形排出物を集積するための長手方向両側のポケット（例えば、オムツ２０の内側を長手方向に開口したもの）を形成する。
【００５９】
図３及び６に示されているような特に適当な実施形態においては、吸収性組立体６０の横方向側縁部８８は、例えば、示された実施形態においては接着剤１５９により構成される取り付け線に沿って、側部パネル６８に固定され、少なくともその長手方向セグメントに沿って、より適当なものとしては、側部パネルの長さ全体に沿って、側部パネルのほぼ長手方向に延びる。接着剤１５９は、本発明の範囲から外れることなく、吸収性組立体６０の長手方向長さに沿ってのみ、側部パネル６８の長手方向に延びるものとすることができることが、更に理解される。取り付け線は、適当なものとしては、側部パネル６８の内側縁部７１と外側縁部７３との間に横方向に配置される。この方法においては、前部及び後部ウエストパネル６２、６４の長手方向内端部６２Ａ、６４Ａの間に延びるセグメントなどの、各々の側部パネル６８の少なくとも長手方向セグメントは、取り付け線により構成される長手方向軸で、吸収性組立体６０及びウエストパネルに対して、ヒンジ付けされるものとしてここに述べられている。すなわち、側部パネル６８の内側及び外側縁７１、７３は、例えば、吸収性組立体を移動、膨張、又は再形成することなく、取り付け線で、吸収性組立体に対して自由に位置決め可能とする。
【００６０】
側部パネル６８の内側縁７１は、少なくともウエストパネル６２、６４の内端部６２Ａ、６２Ｂの間に延びる側部パネルのセグメントに沿って、オムツ２０の外側層又は他の部品に固定されず、このようなセグメントに沿った各々の側部パネルの内側縁は、外側層及び前部及び後部ウエストパネルに対して、及び外側層及び前部及び後部ウエストパネルとは関係なく、位置決め可能である。同様に、側部パネル６８の外側縁７３は、少なくともウエストパネルの内端部６２Ａ、６２Ｂの間に延びる側部パネルのセグメントに沿って、前部及び後部ウエストパネル６２、６４に固定されず、このようなセグメントに沿った各々の側部パネルの外側縁は、前部及び後部ウエストパネルに対して、及び前部及び後部ウエストパネルとは関係なく、位置決め可能である。
【００６１】
このような形態においては、吸収性組立体６０の各々の側部パネル６８と縁部８８との間の取り付け線は、横方向内側部分７０、すなわち取り付け線と側部パネルの内側側部縁７１との間の側部パネルのフラップ部分、及び横方向外側部分７２、すなわち取り付け線と側部パネルの外側側部縁７３との間の側部パネルの脚部カフ部分を全体的に構成する。この方法においては、着用中に、各々の側部パネル６８の内側部分７０は、前部及び後部ウエストパネル６２、６４の長手方向内側端部６２Ａ、６４Ａとの間の側部パネルの少なくとも長手方向セグメントに沿って、収容フラップを広く構成する。特に、収容フラップは、股部領域２６の横方向内側及びほぼ垂直に方向付けられて、オムツ２０からの身体排出部の横方向流れを妨げる。側部パネル６８の外側部分７２は、着用者の脚部周囲を密封するために、広くは横方向外側及び全体的に下向きに向けられる脚部カフを構成し、これにより、漏れを減少し、改善された心地よさ及び外観を提供する。
【００６２】
オムツ２０の着用中に、側部パネル６８は全体的に、膨張可能な吸収性組立体６０にヒンジ付けされるので、側部パネルの収容フラップ部分（例えば、横方向内側部分７０）は、吸収性組立体、前部及び後部ウエストパネル６２、６４、及び外側層４８に対して、着用者の股部でほぼ垂直方向になるまで、自由に移動することが可能であるが、側部パネルの脚部カフ部分（例えば、横方向外側部分７２）は、吸収性組立体及び前部及び後部ウエストパネル６２、６４に対して、着用者の大腿部に近い低い位置まで、自由に移動することが可能である。脚部カフ部分（例えば、横方向外側部分７０）は、少なくとも前部及び後部ウエストパネル６２、６４の内端部６２Ａ、６４Ａの間の側部パネルのセグメントに沿って、オムツのあらゆる他の部品に取り付けられていないので、側部パネル６８が横方向に延伸可能に形成される場合に、脚部カフ部分は、吸収性組立体を再位置決め、膨張、又は再形成することなく、吸収性組立体６０、及び前部及び後部ウエストパネルに対して、及びこれらに関係なく、横方向に伸張することができる。
【００６３】
それぞれの側部パネル６８に固定されている吸収性組立体６０の横方向縁部８８に沿った取り付け線（例えば、接着剤１５９により構成される）は、図３に示されている以外に、適当なものとしては、側部パネルの内側縁７１と外側縁７３との間の横方向位置に配置することができると考えられる。取り付け線は、本発明の範囲から外れることなく、結合部材６８の外側縁７３に、又は結合部材の内側縁７１に配置することができると理解される。
【００６４】
図３に示されている実施形態においては、吸収性組立体６０は、一般的には、オムツ２０の外側層４８に固定されていない。しかしながら、他の実施形態においては、吸収性組立体の横方向中央領域（例えば、吸収性構造体１５５の横方向の側部縁の間）は、本発明の範囲から外れることなく、外側層４８の内側すなわち身体側表面５０に固定することができると理解される。
【００６５】
図３Ａは、外側層４８が、実質的には吸収性組立体６０と同一の広がりをもち、側部パネル６８に取り付けられていない状態のオムツ２０（広くは衣類）の別の実施形態を示している。この実施形態においては、側部パネル６８の外側縁７３は、特にウエストパネル６２、６４の内端部６２Ａ、６４Ａの間を、外側層４８の横方向縁を越えて、横方向に延びる。この実施形態の側部パネル６８の内側及び外側縁７１、７３は、少なくともウエストパネル６２、６４の内端部６２Ａ、６２Ｂの間に延びる側部パネルのセグメントに沿って、オムツ２０の外側層又は他の部品に取り付けられていないので、このようなセグメントに沿った各々の側部パネルの内側及び外側縁は、外側層及び前部及び後部ウエストパネルに対して、及びこれらに関係なく位置決め可能である。側部パネル６８が、横方向伸張が可能な場合は、各々の側部パネル６８の外側すなわち脚部カフ部分７２は、外側層４８並びにオムツ２０の他の部品に関係なく、横方向伸張が可能であると理解される。
【００６６】
図３Ａの外側層４８は、物品２０の横方向３２及び長手方向３０の両方において、吸収性組立体と同一の広がりとすることができると理解される。代替的には、外側層４８は、本発明の範囲から外れることなく、吸収性組立体を越えて、横方向及び／又は長手方向に延びる大きさとすることができると考えられる。
【００６７】
外側層４８は、適当なものとしては、側部パネル６８の横方向伸張性によって、特に各々の側部パネルの外側部分７２が外側層に固定される、図３の実施形態においては、少なくとも横方向に伸長可能である。外側層４８は、適当なものとしては、柔軟な感触を持ち、しなやかで、「通気性」又は蒸気透過性材料とする。例としては、伸長可能な外側層４８は、ネック付与した布、クレープ加工した布、マイクロプリーツ加工した布、ポリマーフィルム、又は同様のもの、並びにこれらの組み合わせで形成することができる。布は、スパンボンド布のような、織成又は不織材料とすることができる。
【００６８】
適当な伸長可能な外側層材料の例として、約１．２ｏｓｙの基本重量を有する、６０％ネック付与したポリプロピレンスパンボンドがある。このネック付与したスパンボンド材料は、引用によりここに組み入れられる、１９９９年２月１２日付けの「ＥＸＰＡＮＤＡＢＬＥ  ＣＯＶＥＲ  ＧＡＲＭＥＮＴ」という名称のＰ．Ｔ．ＶａｎＧｏｍｐｅｌ他の米国特許出願一連番号０８／２４９，４３４に述べられている応力歪み曲線において、代表的に示されている物理的特性を有するものであった。スパンボンド材料の特性は、従来の引張テスト装置の、最初に３インチの間隔を持つ把持ジョーの間に、３インチのサンプル長さを有する２インチ幅のサンプルに関して求められた。
【００６９】
適当な製造技術及び適当なネック付与した不織布材料の例として、１９９０年１０月２３日付けの「ＲＥＶＥＲＳＩＢＬＥ  ＮＥＣＫＥＤ  ＭＡＴＥＲＩＡＬ  ＡＮＤ  ＰＲＯＣＥＳＳ  ＴＯ  ＭＡＫＥ  ＩＴ」という名称のＭ．Ｔ．Ｍｏｒｍａｎの米国特許第４，９６５，１２２号に記載されている。この特許全体は、一貫性がある範囲で引用によりここに組み入れられる。
【００７０】
本特許のために、「ネック付与％」又は「ネックダウン率」という用語は、予めネック付与した寸法とネック付与可能な材料をネック付与した寸法との違いを測定し、その違いをネック付与可能な材料を予めネック付与させた寸法で割って求められる割合又は比率を意味する。ネック付与割合（パーセントネック）は、上記した１９９０年１０月２３日付けの「ＲＥＶＥＲＳＩＢＬＥ  ＮＥＣＫＥＤ  ＭＡＴＥＲＩＡＬ  ＡＮＤ  ＰＲＯＣＥＳＳ  ＴＯ  ＭＡＫＥ  ＩＴ」という名称のＭ．Ｔ．Ｍｏｒｍａｎの米国特許第４，９６５，１２２号に記載されており、引用によりここに組み入れられる。
【００７１】
代替的には、オムツ２０の外側層４８は、液体不透過性であるように適当に形成することができる。例えば、一実施形態においては、外側層４８は、薄い可塑性フィルム又は他の可撓性液体不透過性材料から成ることができる。特に適当な外側層４８材料は、約０．０１２ミリメートル（０．５ミル）から約０．０５１ミリメートル（２．０ミル）の厚さを有するポリエチレンフィルムである。このような外側層４８に一層布のような感触を示すために、外側層４８は、ポリオレフィン繊維のスパンボンドウエブなどの、その外側表面に積層された不織ウエブを有するポリオレフィンフィルムを更に含むことができる。例えば、約０．０１５ミリメートル（０．６ミル）の厚さを有する延伸により薄肉にされたポリプロピレンフィルムは、約１７グラム／平方メートル（０．５オンス／平方ヤード）の基本重量の不織ウエブを有する、フィラメントに付き約１．５から２．５デニールの厚さを持つ、熱により積層化されたポリプロピレン繊維のスパンボンドウエブを有することができる。このような布のような外側層の形成方法は、当業者に知られている。代替的には、又は付加的に、外側層４８は、吸収性組立体６０に近接する又は近い位置にある選択された領域に、望ましい程度の液体不透過性を与えるために、全体的に又は部分的に形成或いは処理された織成又は不織繊維性ウエブで形成することができる。
【００７２】
他の実施形態においては、外側層４８は、水蒸気に対して透過性であるように適当に形成され、少なくとも約１０００ｇ／ｍ2／２４時、より適当なものとしては約１５００ｇ／ｍ2／２４時、更により適当なものとしては少なくとも約２０００ｇ／ｍ2／２４時、更に少なくとも約３０００ｇ／ｍ2／２４時より大きい水蒸気移動率（ＷＶＴＲ）を有する。上記したものより小さい水蒸気移動率を有する材料は、換気をするのに十分な量ではなく、皮膚の水化の程度が増加して望ましくない結果をもたらす。材料のＷＶＴＲ値を求めるのに適当な技術は、ＩＮＤＡ（Ａｓｓｏｃｉａｔｉｏｎ  ｏｆ  ｔｈｅ  Ｎｏｎｗｏｖｅｎ  Ｆａｂｒｉｃｓ  Ｉｎｄｕｓｔｒｙ）のＩＳＴ−７０．４−９９号により標準化されたテスト方法であり、これは引用によりここに組み入れられる。ＷＶＴＲ測定のために使用することができるテスト装置は、ミネソタ州ミネアポリスに所在するＭｏｃｏｎ／Ｍｏｄｅｒｎ  Ｃｏｎｔｒｏｌｓ、Ｉｎｃ．により製造されたＰｅｒｍａｔｒａｎ−Ｗ  １００Ｋ型として知られている。
【００７３】
別の適当な実施形態においては、外側層４８は、マイクロポーラスフィルムに積層化されたスパンボンド不織材料を含む、マイクロポーラスフィルム／不織積層体材料を含むことができる。例えば、積層体は、１８．７ｇｓｍの伸張したマイクロポーラスフィルムに、熱により取り付けられた、０．６ｏｓｙ（２０．４ｇｓｍ）ポリプロピレンスパンボンド材料を含むことができる。フィルムは、約２０重量パーセントから約７５重量パーセントの炭酸カルシウム粒状物と、残りは主に低密度のポリエチレンを含むことができる。フィルムは次に伸張されて、これはポリエチレン成分を伸張させるが、粒状物は伸張されないままであり、これによりフィルム内の炭酸カルシウム粒子の周囲に、空洞を形成することとなる。形成された積層体は、約１０００から約５０００ｇ／ｍ2／２４時の水蒸気移動率を定めることができる。
【００７４】
外側層４８のための適当な通気性材料の更なる例としては、１９９９年３月９日付けの「ＡＢＳＯＲＢＥＮＴ  ＡＲＴＩＣＬＥ  ＨＡＶＩＮＧ  Ａ  ＢＲＥＡＴＨＡＢＩＬＩＴＹ  ＧＲＡＤＩＥＮＴ」という名称のＯｄｏｒｚｙｎｓｋｉ他の米国特許第５，８７９，３４１号、１９８８年１２月１日付けの「ＡＢＳＯＲＢＥＮＴ  ＡＲＴＩＣＬＥ  ＨＡＶＩＮＧ  Ａ  ＣＯＭＰＯＳＩＴＥ  ＢＲＥＡＴＨＡＢＬＥ  ＯＵＴＥＲ  ＣＯＶＥＲ」という名称のＧｏｏｄ他の米国特許第５，８４３，０５６号、及び１９９９年１月５日付けの「ＢＲＥＡＴＨＡＢＬＥ，ＣＬＯＴＨ−ＬＩＫＥ  ＦＩＬＭ／ＮＯＮＷＯＶＥＮ  ＣＯＭＰＯＳＩＴＥ」という名称のＭｃＣｏｒｍａｃｋ他の米国特許第５，８５５，９９９号に記載されており、これらの特許は一貫性がある範囲で引用によりここに組み入れられる。
【００７５】
オムツ２０の外側層４８は、好ましくは、オムツ２０の内側層４０、並びに側部パネル６８に沿って外側層の伸張を促進するために（ここでは、側部パネルは、図３の実施形態でのように、外側層に固定されている）、伸長可能又は弾性であるように、伸張可能な材料から形成される。外側層４８が伸張可能な材料で形成される場合は、外側層は、適当なものとしては、少なくとも横方向に伸張可能であり、付加的に、長手方向３０において伸張可能とすることができる。外側層４８が、両方向において伸張可能である場合は、両方向において伸長可能であるか、両方向において弾性であるか、又は一方向に伸長可能でもう一方の方向に弾性とすることができると考えられる。
【００７６】
前部及び後部ウエストパネル６２、６４は、適当なものとしては、それぞれの同じ位置にある縁部で、接着剤接着、超音波接着、熱接着、又は他の適当な固定技術により、外側層４８に固定される。図１及び５を参照すると、オムツ２０は、着用者の腰部周囲にオムツを固定するために使用される、１対の締結用タブ９０を含むことができる。適当な締結用タブ９０は、フック・ループ型締結具、接着テープ締結具、ボタン、ピン、スナップ、マッシュルーム・ループ型締結具、及び同様のものを含む。示された実施形態においては、締結用タブ９０は、オムツ２０の側部縁で、適当な接着剤９１により外側層４８と後部ウエストパネル６４との間に固定され（図５）、そこから横方向外向きに延びる。組み込み用締結具９２は、オムツの前腰部領域２２において、外側層４８上に形成することができる。代替的には、外側層４８は、締結用タブ９０が適当に締結することができる材料で形成することができる。
【００７７】
図１のオムツ２０と類似した形態を有する、使い棄て衣類を形成するために、幾つかの適当な方法がある。例えば、一実施形態においては、弾性内側層４０は、第一に、前部及び後部ウエストパネル６２、６４に取り付けることにより、側部パネル６８材料の２つの連続する（更に横方向に間隔を持つ）ウエブに組み立てることができる。Ｃ折り吸収性組立体６０は、別個に形成されて、取り付け線（例えば接着剤１５９）に沿って、側部パネル６８に取り付けられて、側部パネルのフラップ部分７０及び脚部カフ部分７２を形成する。外側層４８は、次に、前部及び後部ウエストパネル６２、６４に周辺接着される。前及び後締結具９０は、その後組立体に付加され、脚部開口が外側層にダイカットされ、個々のオムツ２０が順次切り取られる。
【００７８】
別の適当な方法は、連続する外側層材料のウエブから、衣類２０のウエブを形成することである。Ｃ折り吸収性組立体は、別個に形成されて、吸収性組立体の衣類側表面を外側層４８の身体側表面に固定することにより、吸収性組立体の中央領域が外側層に固定される。側部パネル６８は、別個に形成されて、前部及び後部ウエストパネル６２、６４に取り付けられ、複合内側層４０を形成する。複合内側層４０は、Ｃ折り吸収性組立体６０と位置合わせされて配置され、接着剤層１５９により、吸収性組立体の横方向縁部８８に取り付けられる。内側層４０は、次に、外側層４８に周辺接着される。前及び後締結具９０が付加されて、脚部開口が組立体において切り取られる。最後に、組み立てられた衣類のウエブは、順次個々の衣類に切り取られる。
【００７９】
本発明の要素又はこれらの好ましい態様を説明する場合に、「１つ」、「それ」及び「該」という単語は、１つ又はそれ以上の要素があることを意味するものである。「含む」、「含まれる」及び「有する」という用語は、包括的であり、示した要素以外に付加的要素がある可能性があることを意味するものである。
【００８０】
本発明の範囲から外れることなく、上記した構成に、様々な変更を加えることができるものであるから、上述の説明に含まれ、添付図面に示されたすべての事柄は、説明のものであり、制限する意味ではないものと解釈されることを意図している。
【図面の簡単な説明】
【００８１】
【図１】着用者の肌に接触するオムツの表面を示すように、折り畳まず、平坦な状態のオムツの形態で示した、本発明の使い棄て衣類の平面図である。
【図２】内側の構成が見えるように部分的に切り取った、図１に類似した平面図である。
【図３】図１の３−３線における平面の拡大断面図である。
【図３Ａ】本発明の代替的実施形態の拡大断面図である。
【図４】図１の４−４線における平面の拡大断面図である。
【図５】図１の５−５線における平面の拡大断面図である。
【図６】図１の６−６線における平面の拡大断面図である。
【符号の説明】
【００８２】
２０  オムツ
２２  前腰部領域
２４  後腰部領域
２６  股部領域
３２  側部縁
４０  内側層
４８  外側層
６０  吸収性組立体
６２  前部ウエストパネル
６４  後部ウエストパネル
６８  側部パネル
７１  内側縁
７３  外側縁
７５  端部縁
７８  接着剤
【図１】
2009505777.tif 000003
【図２】
2009505777.tif 000004
【図３】
2009505777.tif 000005
【図３Ａ】
2009505777.tif 000006
【図４】
2009505777.tif 000007
【図５】
2009505777.tif 000008
【図６】
2009505777.tif 000009
【国際調査報告】
2009505777.tif 000010
2009505777.tif 000011
2009505777.tif 000012